(57)【特許請求の範囲】
【請求項１】
打球供給皿の球皿の底部または該打球供給皿に貯留されるパチンコ球を打球供給装置に導く球通路の底部に球抜口を開設したパチンコ機において、
前記球抜口を開閉するための球抜装置であって、支軸により上下方向に回動自在に設けられた操作摘みと、横方向へ摺動自在に設けられかつスプリング等により常時前記球抜口を閉塞する位置に付勢される球抜部材と、前記操作摘みの下方に位置し上端部で揺動自在に軸支され、前記操作摘みと前記球抜部材とを互いに連係する作動リンクとからなり、
前記作動リンクはその上部に腕片を突設して逆Ｌ字型に形成されると共に下部に球抜部材と係合する係合部が設けられ、また前記操作摘みは前記支軸を挟んで両側にそれぞれ押下げ部と引上げ部が設けられかつ該押下げ部は該引上げ部より長く形成され、前記引上げ部には前記腕片にその下側から係合し前記押下げ部の下降と同時に該腕片を引き上げる係合片を設けたことを特徴とするパチンコ機における球抜装置。
【発明の詳細な説明】
【０００１】
【発明の属する技術分野】
本発明は打球供給皿の球皿の底部または該打球供給皿に貯留されるパチンコ球を発射レールの発射位置へ１個ずつ供給する打球供給装置に導く球通路の底部に球抜口を開設したパチンコ機において、該球抜口を開閉するための球抜装置に関するものである。
【０００２】
【従来の技術】
従来、この種球抜装置として例えば実公平４−２１５７２号公報に開示されるものが有る。該装置は図７に示されるように、打球供給皿１００の皿部１０１の底部１０２に球抜口１０３が形成されており、打球供給皿１００の上面開口１０４に操作摘み１０５が上下方向に回動自在に設けられている。また、打球供給皿１００内には横方向へ摺動自在に設けられかつスプリング１０６により常時球抜口１０３を閉塞する位置に付勢される球抜部材１０７と前記操作摘み１０５の下面に接触する横向きの腕１０８を一体に備えかつ下端の係合ピン１０９を球抜部材１０７に係合させた逆さＬ字形の作動リンク１１０を揺動自在に軸支して構成されている。
そして、操作摘み１０５の押圧により腕１０８を押し下げ作動リンク１１０を回動させることにより球抜部材１０７を球抜口１０３が開放する位置に摺動させるようにしている。
【０００３】
【発明が解決しようとする課題】
上記球抜装置にあっては、特に腕１０８の寸法に対し作動リンク１１０の垂直高さを長くすることにより、操作摘み１０５の僅かな回動ストロークで球抜部材１０７の摺動ストロークを増大させるようにして球抜き操作が楽に行なえるようにしようとするものである。しかし、操作摘み１０５を押圧する押下側のほぼ真下に腕１０８が配置されている。よって、操作摘み１０５の回動ストロークが僅かで済むもののモーメントの関係によりその分始めから大きな押圧力を必要とするので、例えば打球供給皿に沢山のパチンコ球が貯留されているときなど、球抜部材に大きな球圧が加わり、このため操作摘み１０５を勢い強く押さねばならず、か弱い女性客などにとっては操作しずらいという課題があった。
【０００４】
そこで、本発明は上記課題を解決すべくなされたもので、操作摘みを軽く押圧するのみで球抜操作が楽に行なえるようにしたパチンコ機における球抜装置を提供することを目的とするものである。
【０００５】
【課題を解決するための手段】
かかる目的を達成するために、本発明に係るパチンコ機における球抜装置は、打球供給皿の球皿の底部または該打球供給皿に貯留されるパチンコ球を発射レールの発射位置へ１個ずつ供給する打球供給装置に導く球通路の底部に球抜口を開設したパチンコ機において、該球抜口を開閉するための球抜装置であって、支軸により上下方向に回動自在に設けられた操作摘みと、横方向へ摺動自在に設けられかつスプリング等により常時球抜口を閉塞する位置に付勢される球抜部材と、前記操作摘みの下方に位置し上端部で揺動自在に軸支され、操作摘みと球抜部材とを互いに連係する作動リンクとからなり、該作動リンクはその上部に腕片を突設して逆Ｌ字型に形成されると共に下部に球抜部材と係合する係合部が設けられ、また操作摘みは前記支軸を挟んで両側にそれぞれ押下げ部と引上げ部が設けられかつ該押下げ部は該引上げ部より長く形成され、引上げ部には腕片にその下側から係合し前記押下げ部の下降と同時に該腕片を引き上げる係合片を設けた構成よりなる。
【０００６】
そこで、球抜部材を作動させるべく腕片を引き上げて作動リンクを回動させるためには大きな力が必要となるが、操作摘みの押下げ部が引上げ部より長いので、そのモーメントの関係から操作摘みの押下力が軽くて済みその操作が楽に行なえることとなる。
【０００７】
【発明の実施の形態】
以下、本発明に係るパチンコ機における球抜装置の実施の形態を図面を参照して説明する。図１は本発明が適用されるパチンコ機の正面図、図２はガラス扉枠及び前面板を開放した状態のパチンコ機の下部部分の斜視図である。図において、１はパチンコ機の前面枠、２は該前面枠１の後側に着脱自在に装着される遊技盤であって、該遊技盤２の右下側に発射レール３が装着されている。４は発射レール３の発射位置５に先端が臨む打球杆、６は発射レール３の前面を覆う前面板であって、遊技盤２の前面を覆うガラス扉枠７と共に前面枠１の窓孔８の一側に開閉自在に装着される。前記前面板６の表面には景品球払出装置（図示せず。）から払い出されたパチンコ球を貯留し、そのパチンコ球を後述する打球供給装置３５に供給する打球供給皿９が装着されている。また、前記前面枠１の下部前面には打球供給皿９に充満してオーバーフローするパチンコ球を貯留する余剰球受皿１０及び発射位置５から発射されるパチンコ球の弾発力を調節する操作ハンドル１１が設けられている。
【０００８】
前記打球供給皿９は、図３に示されるように本体部１２と該本体部１２の前面外側を覆うカバー部材１３とから構成されている。本体部１２はパチンコ球を貯留する球皿１４と、該球皿１４の上縁部分を囲う飾板部１５及び球皿１４の下方に延出する側板部１６とを有する。前記球皿１４は底部が一方に緩やかに下り傾斜し、その傾斜下部にパチンコ球が一列に整列されて流下する整流部１７が形成されている。この整流部１７の下流端が位置する前面板６には球皿１４のパチンコ球を前面板６の裏側に流出させる球出口１８が開設されている。
【０００９】
１９は側板部１６に突設される平行なリブ２０，２０により横方向へ摺動案内される球抜部材であり、該球抜部材１９はその先端に前記整流部１７の下端側の底部に開設された球抜口２１を開閉する球抜板部１９ａを一体に備え、図４に示されるようにスプリング２２により常時球抜口２１を閉塞する位置に付勢される。また、球抜部材１９には一側にピン２３が突設されている。２４は側板部１６の裏面に上端部で揺動自在に軸支２５される逆Ｌ字型の作動リンクであり、軸支２５部から一側に横向きの腕片２６ａが突設され、リンク部２６ｂの下端部には球抜部材１９のピン２３が係合する係合孔２７が設けられている。該作動リンク２４は、腕片２６ａの長さに対しリンク部２６ｂの長さが約３倍長く形成されており、腕片２６ａの僅かな回動によりリンク部２６ｂが大きく回動して球抜部材１９を倍速で摺動できるようにしている。
【００１０】
２８は側板部１６の裏面に軸支され上下方向に回動自在に設けられた操作摘みであり、飾板部１５上面の開口１５ａから上方へ突出している。そして、支軸２９を挟んで両側にそれぞれ引上げ部３０ａと押下げ部３０ｂとが形成され、引上げ部３０ａの下面に前記腕片２６ａに下側から係合する係合片３１が設けられている。また、押下げ部３０ｂが引上げ部３０ａより長く形成されている。更に詳しくは、図４において操作摘み２８の支軸２９から係合片３１と腕片２６ａとの係合位置Ｎまでの距離Ｌ１より支軸２９から先端位置Ｍまでの距離Ｌ２が長く形成されている。
【００１１】
３２は球抜口２１より下方に延設される球抜通路であり、下端位置で前面板６に開設された通口３３を介して球抜きシュート３４と連通し、球抜通路３２を流下するパチンコ球を球抜きシュート３４を介して余剰球受皿１０に導くようにしている。また、前記前面板６の裏面には球出口１８から流入するパチンコ球を１個ずつ発射レール３の発射位置５へ供給する打球供給装置３５が組み込まれたケース体３６が装着されている。
【００１２】
次に、このように構成したパチンコ機の作用を説明する。常態ではスプリング２２の付勢により図４に示されるように球抜板部１９ａが球抜口２１を閉塞しており、打球供給皿９のパチンコ球が打球供給装置３５に導かれ発射レール３の発射位置５に１個ずつ供給される。一方、打球供給皿９のパチンコ球を余剰球受皿１０に抜き取るには、図５に示されるように操作摘み２８の先端位置Ｍ付近を下方へ押圧する。これにより、操作摘み２８の押下げ部３０ｂが下降すると同時に引上げ部３０ａが上昇し、係合片３１が腕片２６ａを引き上げて作動リンク２４をスプリング２２の付勢に抗して回動させる。これに伴い球抜部材１９がほぼ水平に摺動し球抜口２１を開放する。
【００１３】
そこで、押下げ部３０ｂが引上げ部３０ａより長く形成される。すなわち、操作摘み２８の支軸２９から係合片３１と腕片２６ａとの係合位置Ｎまでの距離Ｌ１より支軸２９から反対側の先端位置Ｍまでの距離Ｌ２が長く形成されているので、そのモーメントの関係から先端位置Ｍ付近での押下力が軽くて済み、その操作が極めて楽に行なえることとなる。
【００１４】
このようにして、球抜口２１が開放されることにより打球供給皿９に貯留されるパチンコ球は図５に示されるように球抜口２１を介してすべて余剰球受皿１０に抜き取られる。また、抜き取られた後は、操作摘み２８の押圧を止め開放させると、スプリング２２の復元力により球抜部材１９が元の位置に摺動し、その球抜板部１９ａが球抜口２１を閉塞する。そして、操作摘み２８及び作動リンク２４はいずれも図４の位置に戻る。
【００１５】
また、引上げ部３０ａ側に作動リンク２４の腕片２６ａと係合する係合片３１を設け、支軸２９を介して反対側に押下げ部３０ｂを設けたので、押下げ部３０ｂを軽く作動させるにしてもその距離を余り長くする必要もなく、支軸２９から係合片３１と腕片２６ａとの係合位置Ｎまでの距離Ｌ１を調整すれば球抜装置、特にその横幅が長くならず、全体にコンパクト化できるという効果が有る。
【００１６】
なお、本発明は球抜口２１が打球供給皿９の整流部１７の底部に設けられたパチンコ機について説明したが、前面板６裏側のケース体３６内のパチンコ球を打球供給装置３５に導く球通路３７に球抜口２１を設けたパチンコ機についても適用できること勿論である。
【００１７】
【発明の効果】
以上述べたように、本発明に係るパチンコ機における球抜装置は、操作摘みの支軸を挟んで両側にそれぞれ押下げ部と引上げ部を設けかつ該押下げ部は該引上げ部より長く形成し、前記引上げ部には作動リンクの腕片にその下側から係合し押下げ部の下降と同時に該腕片を引き上げる係合片を設けたので、例えば従来の如く打球供給皿に沢山のパチンコ球が貯留されたときなど、球抜部材に大きな球圧が加わるもモーメントの関係から押下げ部の先端位置付近を押し下げる力が軽くて済み、これによりか弱い女性などでも球抜操作が極めて楽に行なえるという効果を有する。
【図面の簡単な説明】
【図１】本発明が適用されるパチンコ機の正面図。
【図２】ガラス扉枠及び前面板を開放した状態のパチンコ機の下部部分の斜視図。
【図３】打球供給皿部分の分解斜視図。
【図４】球抜装置部分の正面断面図。
【図５】同作用を示す球抜装置部分の正面断面図。
【図６】打球供給皿と余剰球受皿との関連構成を示す側面断面図。
【図７】従来の球抜装置部分の正面断面図。
【符号の説明】
９            打球供給皿
１４          球皿
１９          球抜部材
２１          球抜口
２２          スプリング
２４          作動リンク
２５          支軸
２６ａ        腕片
２８          操作摘み
２９          支軸
３０ａ        引上げ部
３０ｂ        押下げ部
３１          係合片
【図１】
0003794768.tif 000002
【図２】
0003794768.tif 000003
【図３】
0003794768.tif 000004
【図４】
0003794768.tif 000005
【図５】
0003794768.tif 000006
【図６】
0003794768.tif 000007
【図７】
0003794768.tif 000008